(57)【要約】      （修正有）【課題】テラス天井等より懸架された伸縮パイプを備え、容易に確実に高さ調整できる物干し具の提供。【解決手段】内部側パイプ５先端部に下方に向かいハの字に開口した一対の係止片１５ａ、１５ｂとその先端部に突設する一対の係止爪１６a、１６ｂからなるストッパー機構が設けられている。係止爪１６a、１６ｂが外部側パイプ４の複数箇所に設けられた一対の係止孔１３a、１３ｂ等に係合して外部側パイプ４に内部側パイプ５が固定される。ストッパー機構は竿掛けアーム６の装架方向に対してクサビ作用的に確実に動作し、洗濯物の重量で係合が離間することを防止する。係止爪１６a、１６ｂの係合解除操作は内部側パイプ５を伸長する時のみに行えば良く、内部側パイプ５の縮小時には、竿掛けアーム６を押し上げる操作のみで、係止爪１６a、１６ｂの係合状態は解除されつつ内部側パイプ５が外部側パイプ４内を摺動して高さ調整ができる。【選択図】図６
2007159687.tif 000002
【特許請求の範囲】
【請求項１】
物干し竿を装架する竿掛けアームをテラス天井や軒天等から垂直に懸架する竿掛けアームの支持パイプは外部側パイプの中に内部側パイプが摺動可能に挿入された伸縮自在パイプであり、
該伸縮自在パイプの外部側パイプには係合孔が適宜間隔を有して穿設されており、
また、前記内部側パイプの上端部には外部側パイプの係合孔に向かって突出し外部側パイプに穿設された係合孔に係合する係止爪を有する一対の係合片からなるストッパー機構が設置されており、
該ストッパー機構の嵌脱を動作する可動軸は内部側パイプ内に内蔵されており、
該可動軸の下端部は前記物干し竿を装架する竿掛けアームに設けられた支持用リング内まで下げ降ろした形状で支持用リング内に設けられた可動軸の引き手用摘子に連結し、
該引き手用摘子の操作にて前記内部側パイプの上端部に設置されたストッパー機構の操作を利用者が竿掛けアームの位置で該竿掛けアームに手を添えて任意に行えるように構成したことを特徴とする高さ調整用伸縮パイプを備えた物干し具。
【請求項２】
物干し竿を装架する竿掛けアームをテラス天井や軒天等から垂直に懸架する竿掛けアームの支持パイプは外部側パイプの中に内部側パイプが摺動可能に挿入された伸縮自在パイプであり、該伸縮自在パイプの外部側パイプには係合孔が適宜間隔を有して穿設されており、また、前記内部側パイプの上端部には外部側パイプの係合孔に向かって突出し外部側パイプに穿設された係合孔に係合する係止爪を有する一対の係合片からなるストッパー機構が設置されており、該ストッパー機構の嵌脱を動作する可動軸は内部側パイプ内に内蔵されており、該可動軸の下端部は前記物干し竿を装架する竿掛けアームに設けられた支持用リング内まで下げ降ろした形状で支持用リング内に設けられた可動軸の引き手用摘子に連結し、該引き手用摘子の操作にて前記内部側パイプの上端部に設置されたストッパー機構の操作を利用者が竿掛けアームの位置で該竿掛けアームに手を添えて任意に行えるように構成した高さ調整用伸縮パイプにおいて、
前記伸縮パイプのストッパー機構は上端を回動自在にピン軸にて可動軸にキックバネを介して装着された一対の係止片を有し、
該係止片は下方に向かってハの字に開口した形状で前記キックバネにより弾性復帰動作を行う形状となし、
該係止片の先端部に突設された係止爪は前記内部側パイプの摺動により外部側パイプの内径側を摺動して該外部側パイプに適宜穿たれた係合孔に係合することにより高さ調整用の伸縮動作を固定することを特徴とする高さ調整用伸縮パイプを備えた物干し具。
【請求項３】
前記１対の係止片は下方に向かってハの字に開口した形状で前記キックバネにより弾性復帰動作を行う形状となし、
外部側パイプと内部側パイプからなる支持パイプの収縮時は引き手用摘子による可動軸の操作を必要とせず竿掛けアームを介して内部側パイプを押し上げる動作のみにて行えることを特徴とする請求項１または請求項２の何れかに記載された高さ調整用伸縮パイプを備えた物干し具。
【請求項４】
前記一対の係止片は下方に向かってハの字に開口した形状で、
該係止片の先端に突出して設けられ前記外部側パイプに適宜穿たれた係合孔に係合した状態で高さ調整用の伸縮動作を固定されており、
該高さ調整用の伸縮動作の固定を解除し外部側パイプと内部側パイプからなる支持パイプの伸長するには前記竿掛けアームを手で保持して引き手用摘子を介して可動軸を引き下げ、
前記下方に向かってハの字に開口した係止片の係止爪をキックバネの弾性復帰動作に逆らってハの字型開口を縮小しながら前記一対の係合片の係合爪を外部パイプの係合孔から離脱することを特徴とする請求項１または請求項２の何れかに記載された高さ調整用伸縮パイプを備えた物干し具。
【請求項５】
前記可動軸の下端部に連結する可動軸の引き手用摘子は前記内部側パイプの下端部に装着された竿掛けアームの中央部に支持用リングを穿設して設け、
該支持用リング内に引き手用摘子設けており、
該引き手用摘子の操作は可動軸を介して前記ストッパー機構に連結され外部側パイプの係合孔に係合したストッパー機構の離脱動作を行うことを特徴とする請求項１乃至請求項４何れかに記載された高さ調整用伸縮パイプを備えた物干し具。
【発明の詳細な説明】
【技術分野】
【０００１】
本発明は、物干し竿を装架する一対の竿掛けアームをテラス天井や軒天等から垂直に懸架するタイプの物干し具に関するものであり、特に本発明は、前記物干し具において竿掛けアームの高さを容易に調整することのできる伸縮パイプを備えた物干し具を提供するものである。
【背景技術】
【０００２】
テラス天井や軒天等から垂直に懸架された状態で取付されるタイプの物干し具において、該物干し具の下端部に設けられる竿掛けアームの高さ調整用伸縮パイプは、外部側パイプの中に内部側パイプが摺動可能に挿入された伸縮自在パイプであり、該伸縮自在パイプの伸縮調整方法は、外部側、内部側のパイプを任意の位置で、ダボ孔にダボを挿入し伸縮を固定し、該ダボ孔に挿入されたダボを指などで押し込むことにより、前記固定状態を解除する方法が採られていた。
【０００３】
また、蝶ネジや剣先ネジを用いて伸縮される内部側パイプの動きを規制して固定したりする方法等もあり、その従来例として、特許文献１の登録意匠第８９４４０４号意匠公報には、天井等に固着するブラケットを有した外部側パイプに、竿掛けアームを有した内部側パイプを高さ調整可能に挿入し、該内部側パイプを任意位置にて蝶ネジにて固定する物干し竿支持具が開示されている。
【０００４】
然しながら、前記ネジ止めによる固定方法は、物干し具における竿掛けアームの高さを取付施工時に完全に固定化してしまうことが多い。
即ち、物干し具における高さ固定ネジ部は、下端に位置する竿掛けアームより、上方にあり、通常は踏み台等を利用しなければ、ネジ固定部に利用者の背が届かず、ネジ固定された伸縮自在パイプは、利用者が利用時に任意に高さ調整できるものではなく、上部より懸架され固定された物干し具、並びに物干し竿は、テラスを物干し以外で利用する際に頭上に注意を払わなくてはならない邪魔な物であった。
【０００５】
而して、本発明と同一出願人の発明に係る特許文献２の特開２００５−２７９１６１号公報には、テラス天井や軒天等から垂直に懸架された状態で取付される高さ調整用伸縮パイプを備えた物干し具において、該伸縮パイプの高さ調整用機構は、利用者が楽に手の届く位置、例えば、物干し竿掛けアーム付近に位置して、容易に高さ調整の操作できる物干し具を具現化したものが開示されている。
【０００６】
即ち、特許文献２の物干し具は、利用者が利用する際に、物干し具の下端部に設けられる竿掛けアームの片側を少し動かしたり、回動することにより、高さ調整用伸縮パイプが伸長して、該高さ調整用伸縮パイプ下部に設けられた竿掛けアームが下がり、楽に干し物を干すことができ、干し終わった後や、未使用時には、その竿掛けアームや物干し竿を上方に押し上げて位置固定ができるもので、テラスや軒下を物干し具の高さを気にせずに有効利用できる物干し具である。
【０００７】
而して、特許文献２の物干し具の構成は、物干し竿を装架する竿掛けアームをテラス天井や軒天等から垂直に懸架する竿掛けアームの支持パイプは外部側パイプの中に内部側パイプが摺動可能に挿入された伸縮自在パイプであり、該伸縮自在パイプの外部側パイプ並びに内部側パイプには係合孔が穿たれており、該内部側パイプには内部側パイプの係合孔を介して外部側パイプの係合孔に向かって突出し前記外部側パイプに設けられた係合孔に係合する係止片からなるストッパー機構が内蔵されている。          
【０００８】
そして、前記ストッパー機構の係止片の嵌脱を動作する可動軸は内部側パイプ内に内蔵され、該可動軸の下端部を前記物干し竿を装架する竿掛けアーム付近の位置まで下げ降ろした形状となし、該可動軸下端部に可動軸の上下動或いは回動機構に連結せしめることにより前記外部側パイプと内部側パイプ間のストッパー機構の嵌脱を利用者が容易に手の届く位置にて任意に操作できるように構成した高さ調整用伸縮パイプを備えた物干し具である。
【０００９】
また、特許文献２において、前記軸体の下端部に連結し可動軸の上下動を惹起せしめる機構は、前記内部側パイプの下端部に装着された竿掛けアームの片側を分割し、該竿掛けアームを兼用した形状で片側中央部より回転軸を介して回転可能に構成した回転アームからなり、該回転アーム他端がピン軸を介して連繋した前記可動軸は竿掛けアームの形状を兼用した回転アームの回動により上下動し、前記外部側パイプと内部側パイプ間のストッパー機構の係止片の嵌脱を行うよう構成されている。
【００１０】
更にまた、特許文献２の他の実施例では、前記軸体の下端部に連結し可動軸の上下動を惹起せしめる機構は、前記内部側パイプの下端部に装着された竿掛けアームの片側を分割し、該竿掛けアームを兼用した形状で片側中央部より回転軸を介して回転可能に構成した回転アームからなり、該回転アーム他端がピン軸を介して連繋した前記可動軸は竿掛けアームの形状を兼用した回転アームの回動により上下動し、前記外部側パイプと内部側パイプ間のストッパー機構の係止片の嵌脱を行うよう構成されている。
【特許文献１】登録意匠第８９４４０４号意匠公報
【特許文献２】特開２００５−２７９１６１号公報
【発明の開示】
【発明が解決しようとする課題】
【００１１】
而して、本発明が解決しようとする課題は、テラス天井や軒天等から垂直に懸架された状態で取付される高さ調整用伸縮パイプを備えた物干し具において、該伸縮パイプの高さ調整用機構は、利用者が楽に手の届く位置、例えば、物干し竿掛けアーム付近に位置して、より確実で、容易に高さ調整の操作できる物干し具を具現化する特許文献２の改良発明に関するものである。
【００１２】
特に本発明が改良した点は、ストッパー機構の係止片の形状を新たに発明して該係止片部が洗濯物の重量に対して十分な強度を有し、且つ、係止片が外部側パイプの係合孔から離脱する動作は、引き手用摘子の操作なしでは容易に下方向に離脱しない形状とした。
【００１３】
また、係止片の解除操作は高さ調整パイプを伸長する時のみに行えば良く、高さ調整パイプの縮小、即ち物干し具がテラスやベランダで邪魔になる時の収納時や、物干し竿に洗濯物を干してしまい高く掲げる場合等には、竿掛けアームを押し上げる操作のみにて、係止片の係止状態は解除されつつ内部側パイプが外部側パイプ内に挿入されて高さ調整ができる高さ調整用伸縮パイプを備えた物干し具を提供する。
【００１４】
また、本発明の物干し具を利用者が利用する際には、竿掛けアームに設けたロック摘子を解除して該竿掛けアームを少し回動したり、ねじ羽根を回動操作するといった複雑で確実な操作のできない構成を一掃した。
そして、高さ調整用伸縮パイプが伸長して、該高さ調整用伸縮パイプ下部に設けられた竿掛けアームが下がり、楽に干し物を干すことができ、干し終わった後や、未使用時には、該竿掛けアームや物干し竿を上方に押し上げることができるので、テラスや軒下を物干し具の高さを気にせずに有効利用できる物干し具を提供する。
【課題を解決するための手段】
【００１５】
本発明は、物干し竿を装架する竿掛けアームをテラス天井や軒天等から垂直に懸架する竿掛けアームの支持パイプは外部側パイプの中に内部側パイプが摺動可能に挿入された伸縮自在パイプであり、該伸縮自在パイプの外部側パイプには係合孔が適宜間隔を有して穿設されており、また、前記内部側パイプの上端部には外部側パイプの係合孔に向かって突出し外部側パイプに穿設された係合孔に係合する係止爪を有する一対の係合片からなるストッパー機構が設置されており、該ストッパー機構の嵌脱を動作する可動軸は内部側パイプ内に内蔵されており、該可動軸の下端部は前記物干し竿を装架する竿掛けアームに設けられた支持用リング内まで下げ降ろした形状で支持用リング内に設けられた可動軸の引き手用摘子に連結し、該引き手用摘子の操作にて前記内部側パイプの上端部に設置されたストッパー機構の操作を利用者が竿掛けアームの位置で該竿掛けアームに手を添えて任意に行えるように構成したことを要旨とする。
【００１６】
また、本発明は、物干し竿を装架する竿掛けアームをテラス天井や軒天等から垂直に懸架する竿掛けアームの支持パイプは外部側パイプの中に内部側パイプが摺動可能に挿入された伸縮自在パイプであり、該伸縮自在パイプの外部側パイプには係合孔が適宜間隔を有して穿設されており、また、前記内部側パイプの上端部には外部側パイプの係合孔に向かって突出し外部側パイプに穿設された係合孔に係合する係止爪を有する一対の係合片からなるストッパー機構が設置されており、該ストッパー機構の嵌脱を動作する可動軸は内部側パイプ内に内蔵されており、該可動軸の下端部は前記物干し竿を装架する竿掛けアームに設けられた支持用リング内まで下げ降ろした形状で支持用リング内に設けられた可動軸の引き手用摘子に連結し、該引き手用摘子の操作にて前記内部側パイプの上端部に設置されたストッパー機構の操作を利用者が竿掛けアームの位置で該竿掛けアームに手を添えて任意に行えるように構成した高さ調整用伸縮パイプにおいて、前記伸縮パイプのストッパー機構は上端を回動自在にピン軸にて可動軸にキックバネを介して装着された一対の係止片を有し、該係止片は下方に向かってハの字に開口した形状で前記キックバネにより弾性復帰動作を行う形状となし、該係止片の先端部に突設された係止爪は前記内部側パイプの摺動により前記外部側パイプの内径側を摺動して外部側パイプに適宜穿たれた係合孔に係合することにより高さ調整用の伸縮動作を固定することを要旨としている。
【００１７】
また、本発明において、前記１対の係止片は、下方に向かってハの字に開口した形状で前記キックバネにより弾性復帰動作を行う形状となし、外部側パイプと内部側パイプからなる支持パイプの収縮時は引き手用摘子による可動軸の操作を必要とせず竿掛けアームを介して内部側パイプを押し上げる動作のみにて行えることを要旨としている。
【００１８】
また、本発明において、前記一対の係止片は、下方に向かってハの字に開口した形状で、該係止片の先端に突出して設けられ前記外部側パイプに適宜穿たれた係合孔に係合した状態で高さ調整用の伸縮動作を固定されており、該高さ調整用の伸縮動作の固定を解除し外部側パイプと内部側パイプからなる支持パイプの伸長するには前記竿掛けアームを手で保持して引き手用摘子を介して可動軸を引き下げ、前記下方に向かってハの字に開口した係止片の係止爪をキックバネの弾性復帰動作に逆らってハの字型開口を縮小しながら前記一対の係合片の係合爪を外部パイプの係合孔から離脱することを要旨としている。
【００１９】
更に、また、本発明において、前記可動軸の下端部に連結する可動軸の引き手用摘子は、前記内部側パイプの下端部に装着された竿掛けアームの中央部に支持用リングを穿設して設け、該支持用リング内に引き手用摘子設けており、該引き手用摘子の操作は可動軸を介して前記ストッパー機構に連結され外部側パイプの係合孔に係合したストッパー機構の離脱動作を行うことを要旨としている。
【発明の効果】
【００２０】
斯くして、本発明は、テラス天井や軒天等から垂直に懸架された状態で取付される高さ調整用伸縮パイプを備えた物干し具において、該伸縮パイプの高さ調整用機構は、利用者が楽に手の届く物干し竿掛けアーム付近に位置しており、簡単、且つ、容易に確実な高さ調整操作のできる物干し具を提供することができた。
【００２１】
また、本発明の物干し具を利用者が利用する際には、竿掛けアームと兼用する回転アームを少し回動したり、ネジ羽根を回動するといった不確実性の操作を不要とし、高さ調整用伸縮パイプを伸長する際に係止片から成るストッパー機構を引き手摘子により解除する簡単操作のみでよい。
【００２２】
そして、高さ調整用伸縮パイプを収縮させる際には、単に竿掛けアームを押し上げ、支持アームを構成する外部側パイプ内に内部側パイプを挿入動作すれば、任意位置で高さ調整用伸縮パイプの位置が前記ストッパー機構にて固定される。  
【００２３】
従って、本発明は、高さ調整用伸縮パイプ下部に設けられた竿掛けアームが下がり、楽に干し物を干すことができ、干し終わった後や、未使用時には、該竿掛けアームや物干し竿を上方に押し上げることができるので、テラスや軒下を物干し具の高さを気にせずに有効利用できる。
【００２４】
また、本発明は、従来例の単なるラッチ型ストッパー機構に比較して、一対の係止爪と係止片からなるストッパー機構が、竿掛けアームの装架方向に対してクサビ作用的に確実に動作するので、竿掛けアームに掛かる洗濯物の重量等に対してストッパー機構が十分に働き、該洗濯物の重量にてストッパー機構のラッチ係合部が離間する等の事故を防止することができた。
【発明を実施するための最良の形態】
【００２５】
斯くして、本発明を実施するための最良の形態は、物干し竿を装架する竿掛けアームをテラス天井や軒天等から垂直に懸架する竿掛けアームの支持パイプは外部側パイプの中に内部側パイプが摺動可能に挿入された伸縮自在パイプであり、
該伸縮自在パイプの外部側パイプには係合孔が適宜間隔を有して穿設されており、また、前記内部側パイプの上端部には外部側パイプの係合孔に向かって突出し外部側パイプに穿設された係合孔に係合する係止爪を有する一対の係合片からなるストッパー機構が設置されており、該ストッパー機構の嵌脱を動作する可動軸は内部側パイプ内に内蔵されており、該可動軸の下端部は前記物干し竿を装架する竿掛けアームに設けられた支持用リング内まで下げ降ろした形状で支持用リング内に設けられた可動軸の引き手用摘子に連結し、該引き手用摘子の操作にて前記内部側パイプの上端部に設置されたストッパー機構の操作を利用者が竿掛けアームの位置で該竿掛けアームに手を添えて任意に行えるように構成することが好ましい。
【００２６】
また、本発明は、物干し竿を装架する竿掛けアームをテラス天井や軒天等から垂直に懸架する竿掛けアームの支持パイプは外部側パイプの中に内部側パイプが摺動可能に挿入された伸縮自在パイプであり、該伸縮自在パイプの外部側パイプには係合孔が適宜間隔を有して穿設されており、また、前記内部側パイプの上端部には外部側パイプの係合孔に向かって突出し外部側パイプに穿設された係合孔に係合する係止爪を有する一対の係合片からなるストッパー機構が設置されており、該ストッパー機構の嵌脱を動作する可動軸は内部側パイプ内に内蔵されており、該可動軸の下端部は前記物干し竿を装架する竿掛けアームに設けられた支持用リング内まで下げ降ろした形状で支持用リング内に設けられた可動軸の引き手用摘子に連結し、該引き手用摘子の操作にて前記内部側パイプの上端部に設置されたストッパー機構の操作を利用者が竿掛けアームの位置で該竿掛けアームに手を添えて任意に行えるように構成した高さ調整用伸縮パイプにおいて、前記伸縮パイプのストッパー機構は上端を回動自在にピン軸にて可動軸にキックバネを介して装着された一対の係止片を有し、該係止片は下方に向かってハの字に開口した形状で前記キックバネにより弾性復帰動作を行う形状となし、該係止片の先端部に突設された係止爪は前記内部側パイプの摺動により前記外部側パイプの内径側を摺動して外部側パイプに適宜穿たれた係合孔に係合することにより高さ調整用の伸縮動作を固定することが好ましい。
【００２７】
また、本発明において、前記１対の係止片は、下方に向かってハの字に開口した形状で前記キックバネにより弾性復帰動作を行う形状となし、外部側パイプと内部側パイプからなる支持パイプの収縮時は引き手用摘子による可動軸の操作を必要とせず竿掛けアームを介して内部側パイプを押し上げる動作のみにて行えることが好ましい。
【００２８】
また、本発明において、前記一対の係止片は、下方に向かってハの字に開口した形状で、該係止片の先端に突出して設けられ前記外部側パイプに適宜穿たれた係合孔に係合した状態で高さ調整用の伸縮動作を固定されており、該高さ調整用の伸縮動作の固定を解除し外部側パイプと内部側パイプからなる支持パイプの伸長するには前記竿掛けアームを手で保持して引き手用摘子を介して可動軸を引き下げ、前記下方に向かってハの字に開口した係止片の係止爪をキックバネの弾性復帰動作に逆らってハの字型開口を縮小しながら前記一対の係合片の係合爪を外部パイプの係合孔から離脱することが好ましい。
【００２９】
更に、また、本発明において、前記可動軸の下端部に連結する可動軸の引き手用摘子は  前記内部側パイプの下端部に装着された竿掛けアームの中央部に支持用リングを穿設して設け、該支持用リング内に引き手用摘子設けており、該引き手用摘子の操作は可動軸を介して前記ストッパー機構に連結され外部側パイプの係合孔に係合したストッパー機構の離脱動作を行うことが好ましい。
【実施例１】
【００３０】
図１は実施例１の外観並びに使用例を示す斜視説明図であり、図２a、図２ｂ、乃至図４は外観並びに利用動作説明図である。また、図５は実施例１のストッパー機構を説明する部品分解図、図６はストッパー機構を含めた物干し具全体形状を示す要部断面図、図７a、図７ｂはストッパー機構の動作を説明する要部拡大断面図、図８は図７aにおける側面を一部断面図で示している。
【００３１】
図１乃至図７において、１は高さ調整用の伸縮パイプ２を備えた物干し具、３はテラス天井や軒天に取付るためのブラケット、４は外部側パイプ、５は内部側パイプ、６は竿掛けアーム、７a、７ｂ、７ｃ、７ｄは竿掛けアーム６に設けられた竿受け孔、８は竿掛けアーム６の中央部に穿設された支持用リング、９は引き手用摘子をそれぞれ示している。  
【００３２】
而して、図１は、前記物干し具１をテラス天井や軒天等等にブラケット３を介して装架した状態を示しており、例えば、装架された一対の物干し具１の竿掛けアーム６間の竿受け孔７aに物干し竿１０を架設して物干し具として使用している。
【００３３】
上記、一対の物干し具１は、竿掛けアーム６の高さを容易に調整することのできる伸縮パイプ２をそれぞれ備えており、該伸縮パイプ２の中には高さ調整用機構やストッパー機構が内蔵されおり、また、利用者が楽に手の届く高さ位置の竿掛けアーム６付近に引き手用摘子９を具備して、より確実で、容易に竿掛けアーム６の高さ調整の操作できるものである。
【００３４】
そして、物干し具１の利用者は、高さ調整用伸縮パイプ２を収縮させる際には、単にそれぞれの竿掛けアーム６を押し上げ、前記伸縮アームを構成する外部側パイプ４内に内部側パイプ５を挿入動作すれば、予め設定された位置で高さ調整用伸縮パイプ２の位置が前記ストッパー機構にて固定される。  
【００３５】
従って、本発明は、高さ調整用伸縮パイプ２の下部に設けられた竿掛けアーム６の高さ位置が下がり、楽に干し物を干すことができ、干し終わった後や、未使用時には、前記竿掛けアーム６や物干し竿１０を上方に押し上げることができるので、テラスや軒下を物干し具の高さを気にせずに有効利用できる。
【００３６】
また図２（a）の正面図、並びに図２（ｂ）の側面図は、内部側パイプ５を外部側パイプ４内に挿入して収縮が完了した状態を示しており、図３はその収縮状態を解除して内部側パイプ５を中間点まで伸長した状態を示し、図４においては、最大限内部側パイプを外部側パイプ４に対して伸長した状態を示している。
【００３７】
而して、実用化された実施例においては、天井から図２（a）、（ｂ）の状態で６００ｍｍ、伸長した図４の状態で９００ｍｍとなり、３００ｍｍの高さ調整のできる伸縮パイプ２を備えた物干し具１となっている。
【００３８】
図２乃至図４において、１１a、１１ｂ、１２a、１２ｂ、１３a、１３ｂは、予め設定した高さ位置に内部側パイプ５を固定するための係止孔であり、該係止孔１１a、１１ｂ、１２a、１２ｂ、１３a、１３ｂは前記外部側パイプ４のそれぞれ対向した位置に一対づつ穿設されていて、図２（ｂ）に示す如く内部側パイプ５の先端部に装着されたストッパー機構１４の係止片１５a、１５ｂ、の先端部に設けられた係止爪１６a、１６ｂが係合するように構成されている。
【００３９】
また、図２（ｂ）に図示された係合孔カバー１７は、前記外部側パイプ４に穿たれる係止孔１１a、１１ｂ、１２a、１２ｂ、１３a、１３ｂの係合孔を塞ぐものであり、該係合孔カバー１７が外部側パイプ４に装着され、該係合孔１１a、１１ｂ、１２a、１２ｂ、１３a、１３ｂが外観上見えないよう構成するとともに、係止爪１６a、１６ｂが外部側パイプの外観に飛び出すことがないので、洗濯物を引っ掛けたりすることがなく、意匠上美観に優れたものになる。
尚、１８は上記外部側パイプの下端部に嵌着されたエンドキャップ、１９は前記引き手用摘子９とストッパー機構１４を連結する可動軸１９を示している。
【００４０】
斯くして、図５は前記ストッパー機構１４が高さ調整用伸縮パイプ２内にどの様に組込まれ、該ストッパー機構１４がどのように動作するかを説明するための部品分解図である。
【００４１】
図５において、６は竿掛けアームであり、該竿掛けアーム６には支持用リングが８穿設されており、該支持用リング８内にには、引き手用摘子９が設けられている。
【００４２】
また、４は外部側パイプ、１７は外部側パイプ４をカバーする係合孔カバーで、該外部側パイプ４と係合カバー１７の端部には、エンドキャップ１８が装着されている。そして前記引き手用摘子９に下端部を連結している可動軸１９の上端部はストッパー機構１４の摺動ピン２０に連繋されており、引き手用摘子９の上下動が摺動ピン２０に直接伝達される構成を有している。
【００４３】
一方、前記ストッパー機構１４はピン軸２１を中心に回動可能な一対の係止片１５a、１５ｂの組み合わせにより構成され、該係止片１５a、１５ｂは下方に向かってハの字に開口した形状で、キックバネ２２により弾性復帰動作を可能に構成され、該係止片１５a、１５ｂの先端部に突設されている係止爪１６a、１６ｂは前記内部側パイプ５の摺動により前記外部側パイプ４の内径側を摺動して、図２乃至図４にて説明した係合孔１１a、１１ｂ、１２a、１２ｂ、１３a、１３ｂに係合することにより高さ調整用の内部側パイプ５の伸縮動作をそれぞれの位置で固定できる。
【００４４】
また、図５において、挟持部材２３a、２３ｂ（２３ｂは図示せず）はストッパー機構１４を両側より挟持して、前記係止片１５a、１５ｂを構成するピン軸２１を両側より保持したり、前記ストッパー機構１４の係止片１５a、１５ｂを可動するためににそれぞれ穿設された摺動長孔２４a、２４ｂを貫通している摺動ピン２０を摺動可能に支持している。
【００４５】
斯くして、前記挟持部材２３a、２３ｂはビス孔２５を介してビスにて組立、結合され、その下端側２６は内部側パイプ５の上端部に装着されており、該内部側パイプ５の外部側パイプ４への摺動や、該伸縮動作時にストッパー機構１４を円滑に駆動せしめる。
【００４６】
図６はストッパー機構１４を含めた物干し具１全体形状を示す要部断面図であり、該図６においては、係止片１５a、１５ｂで下方に向かってハの字に開口した形状の先端部にそれぞれ突設する係止爪１６a、１６ｂが外部側パイプ４の係合孔１３a、１３ｂに係合して外部側パイプ４に内部側パイプ５が固定された状態を示している。
【００４７】
而して、この状態において、一対の係止爪１６a、１６ｂと係止片１５a、１５ｂからなるストッパー機構１４が、竿掛けアーム６の装架方向に対してクサビ作用的に確実に動作しているので、竿掛けアーム６に掛かる洗濯物の重量等に対してストッパー機構１４が十分に働き、該洗濯物の重量にてストッパー機構１４の係合部が離間する等の従来装置の事故を防止することができた。
【００４８】
また、図６の状態で、係止爪１６a、１６ｂの係合解除操作は内部側パイプ５を伸長する時のみに行えば良く、内部側パイプ５の縮小、即ち物干し具がテラスやベランダで邪魔になる時の収納時や、物干し竿に洗濯物を干してしまい高く掲げる場合等には、竿掛けアーム６を押し上げる操作のみにて、係止爪１６a、１６ｂの係合状態は解除されつつ内部側パイプ５が外部側パイプ４内に挿入されて高さ調整ができる物干し具を提供することができる。
尚、図６において、２７は外部側パイプ４をブラケット３に取り付けるためのボルト・ナット、２８は装架される物干し具１の傾きを調整して固定する調整ネジである。
【００４９】
斯くして、図７（a）、図７（ｂ）はストッパー機構の動作を説明する要部拡大断面図であり、図８は図７（a）における側面を一部断面図で示している。
【００５０】
図７(a）は、前記図６と重複するが、係止片１５a、１５ｂで下方に向かってハの字に開口した形状の先端部にそれぞれ突設する係止爪１６a、１６ｂが外部側パイプ４の係合孔１３a、１３ｂに係合して外部側パイプ４に内部側パイプ５が固定された状態を示している。
【００５１】
次に図７（ｂ）の状態は、係止爪１６a、１６ｂの係合解除操作を行い、係止爪１６a、１６ｂが外部側パイプ４の内径部に摺動可能に挿着されている状態を示している。そして、図７（ｂ）の状態にて内部側パイプ５の縮小、即ち物干し具１がテラスやベランダで邪魔になる時の収納時や、物干し竿に洗濯物を干してしまい高く掲げる場合等の操作が行える。そして、前記竿掛けアーム６を押し上げる操作は、係止爪１６a、１６ｂを上部に移動させて、外部側パイプ４の上部に穿設された係合孔１２a、１２ｂ、１３a、１３ｂに係止爪１６a、１６ｂが係合することにより高さ調整用の内部側パイプ５の収縮動作を固定することができる。
【００５２】
また、図７（ｂ）の状態で内部側パイプ５を伸長する際には、前記引き手用摘子９を操作して係止片１５a、１５ｂを図７（ｂ）の状態に保持しながら内部側パイプ５を引き下ろすことが容易に行える。
【００５３】
また、図８は、平角形状の外部側パイプ４、並びに同形状でサイズの一回り小さい内部側パイプ５の側面を示したもので、摺動ピン２０、及び、係止片１５a、１５ｂを保持するピン軸２１が挟持部材２３a、２３ｂに挟持されている構成が理解できる。
【００５４】
斯くして、本発明の実施例は、物干し竿１０を装架する竿掛けアーム６をテラス天井や軒天等から垂直に懸架する竿掛けアーム６の支持パイプは外部側パイプ４の中に内部側パイプ５が摺動可能に挿入された伸縮自在パイプであり、該伸縮自在パイプの外部側パイプ４には係合孔１１a、１１ｂ、１２a、１２ｂ、１３a、１３ｂが適宜間隔を有して穿設されており、また、前記内部側パイプ５の上端部には外部側パイプ５の係合孔１１a、１１ｂ、１２a、１２ｂ、１３a、１３ｂに向かって突出し外部側パイプ４に穿設された係合孔１１a、１１ｂ、１２a、１２ｂ、１３a、１３ｂに係合する係止爪１６a、１６ｂを有する一対の係合片１５a、１５ｂからなるストッパー機構１４が設置されており、該ストッパー機構１４の嵌脱を動作する可動軸１９は内部側パイプ５内に内蔵されており、該可動軸１９の下端部は前記物干し竿１０を装架する竿掛けアーム６に設けられた支持用リング８内まで下げ降ろした形状で支持用リング８内に設けられた可動軸１９の引き手用摘子９に連結し、該引き手用摘子９の操作にて前記内部側パイプ５の上端部に設置されたストッパー機構１４の操作を利用者が竿掛けアーム６の位置で該竿掛けアーム６に手を添えて任意に行えるように構成した高さ調整用伸縮パイプを備えた物干し具である。
【００５５】
また、本発明における、前記伸縮パイプ２のストッパー機構１４は、上端を回動自在にピン軸２１にて可動軸１９にキックバネ２２を介して装着された一対の係止片１５a、１５ｂを有し、該係止片１５a、１５ｂは下方に向かってハの字に開口した形状で前記キックバネ２２により弾性復帰動作を行う形状となし、該係止片１５a、１５ｂの先端部に突設された係止爪１６a、１６ｂは前記内部側パイプ５の摺動により前記外部側パイプ４の内径側を摺動して外部側パイプ４に適宜穿たれた係合孔１１a、１１ｂ、１２a、１２ｂ、１３a、１３ｂに係合することにより高さ調整用の伸縮動作を固定するものである。
【００５６】
また、本発明において、前記１対の係止片１５a、１５ｂは下方に向かってハの字に開口した形状で前記キックバネ２２により弾性復帰動作を行う形状となし、外部側パイプ４と内部側パイプ５からなる支持パイプの収縮時は引き手用摘子９による可動軸１９の操作を必要とせず竿掛けアーム６を介して内部側パイプ５を押し上げる動作のみにて行えるものである。
【００５７】
また、本発明において、前記一対の係止片１５a、１５ｂは、下方に向かってハの字に開口した形状で、該係止片１５a、１５ｂの先端に突出して設けられ前記外部側パイプ４に適宜穿たれた係合孔１１a、１１ｂ、１２a、１２ｂ、１３a、１３ｂに係合した状態で高さ調整用の伸縮動作を固定されており、該高さ調整用の伸縮動作の固定を解除し外部側パイプ４と内部側パイプ５からなる支持パイプの伸長するには前記竿掛けアーム６を手で保持して引き手用摘子９を介して可動軸を引き下げ、前記下方に向かってハの字に開口した係止片１５a、１５ｂの係止爪１６a、１６ｂをキックバネ２２の弾性復帰動作に逆らってハの字型開口を縮小しながら前記一対の係合片１５a、１５ｂの係合爪１６a、１６ｂを外部パイプ４の係合孔１１a、１１ｂ、１２a、１２ｂ、１３a、１３ｂから離脱する高さ調整用伸縮パイプを備えた物干し具である。
【００５８】
更に、また、本発明において、前記可動軸１９の下端部に連結する可動軸１９の引き手用摘子９は、前記内部側パイプ５の下端部に装着された竿掛けアーム６の中央部に支持用リング８を穿設して設け、該支持用リング８内に引き手用摘子９設けており、該引き手用摘子９の操作は可動軸１９を介して前記ストッパー機構１４に連結され外部側パイプ４の係合孔１１a、１１ｂ、１２a、１２ｂ、１３a、１３ｂに係合したストッパー機構１４の離脱動作を行うものである。
【産業上の利用可能性】
【００５９】
而して本発明は、テラス天井や軒天等に垂直に懸架された状態で取付される高さ調整用伸縮パイプを備えた物干し具において、該伸縮パイプの高さ調整用機構は、利用者が楽に手の届く物干し竿掛けアーム付近の部位に位置して、容易で、確実に高さ調整の操作できる物干し具を提供するももで、その産業上の利用の可能性は頗る大きい。
【図面の簡単な説明】
【００６０】
【図１】本発明の実施例を示す斜視説明図である。
【図２】本発明に係る物干し具の利用動作説明図である。
【図３】本発明に係る物干し具の利用動作説明図である。
【図４】本発明に係る物干し具の利用動作説明図である。
【図５】本発明のストッパー機構を説明する部品分解図である。
【図６】本発明のストッパー機構を含めた物干し具全体形状示す要部断面図であ        る。
【図７】本発明のストッパー機構の動作を説明する要部拡大断面図である。
【図８】図７の側面を示す一部断面説明図である。
【符号の説明】
【００６１】
１  物干し具
２  伸縮パイプ  
３  ブラケット  
４  外部側パイプ
５  内部側パイプ
６  竿掛けアーム
７a、７ｂ、７ｃ、７ｄ  竿受け孔  
８  支持用リング
９  引き手用摘子
１０  物干し竿
１１a、１１ｂ  係止孔  
１２a、１２ｂ  係止孔
１３a、１３ｂ  係止孔
１４  ストッパー機構
１５a、１５ｂ  係止片
１６a、１６ｂ  係止爪
１７  係合孔カバー
１８  エンドキャップ
１９  可動軸
２０  摺動ピン
２１  ピン軸
２２  キックバネ    
２３a、２３ｂ  挟持部材
２４a、２４ｂ  摺動長孔
２５  ビス孔
２６  下端側
２７  ボルト・ナット
２８  調整ネジ
【図１】
2007159687.tif 000003
【図２】
2007159687.tif 000004
【図３】
2007159687.tif 000005
【図４】
2007159687.tif 000006
【図５】
2007159687.tif 000007
【図６】
2007159687.tif 000008
【図７】
2007159687.tif 000009
【図８】
2007159687.tif 000010